【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
処理回路を備えるモビリティ管理エンティティ（ＭＭＥ）であって、前記処理回路は、
拡張ノードＢ（ｅＮＢ）を介して、ユーザ装置（ＵＥ）と無線セルラネットワークとの間で接続を確立し、
前記接続を前記無線セルラネットワーク内の他のＭＭＥに転送する必要性を検出し、
前記他のＭＭＥに、前記接続を転送する要求と、前記接続の確立に関するコンテキスト情報とを送信し、
前記他のＭＭＥから、前記要求に応じて、前記ＵＥの一時識別子及び前記他のＭＭＥの識別子を受信し、
前記ｅＮＢに、前記ＵＥに関連付けられた前記接続を前記ＭＭＥから前記他のＭＭＥに転送する指示を伝達するように構成され、
前記指示は、前記ＵＥの前記一時識別子と、前記他のＭＭＥの前記識別子とを含む、
ＭＭＥ。
【請求項２】
前記一時識別子と前記他のＭＭＥの前記識別子とは、前記ＭＭＥにより、システムアーキテクチャ進化型（ＳＡＥ）一時的モバイル加入者識別情報（Ｓ−ＴＭＳＩ）として受信される、
請求項１に記載のＭＭＥ。
【請求項３】
前記接続を転送する前記指示は、前記ｅＮＢに前記他のＭＭＥの前記識別子を伝達するために用いられるＳ１−ＡＰ（S1  Application  Protocol）メッセージであり、前記ＵＥに前記一時識別子と前記他のＭＭＥの前記識別子とを伝達するために用いられる、カプセル化されたグローバリ・ユニーク・テンポラリ・アイデンティティ（ＧＵＴＩ）再割当て要求メッセージを含む、
請求項１に記載のＭＭＥ。
【請求項４】
前記処理回路は更に、
前記ＵＥがアイドルモードにあると決定し、
前記ｅＮＢに、前記ＵＥに向けられたアイドルモードページング手順の一部として、前記他のＭＭＥの前記一時識別子及び前記識別子を伝達するように構成される、
請求項１に記載のＭＭＥ。
【請求項５】
前記ＭＭＥ及び前記他のＭＭＥは、前記無線セルラネットワーク内のＭＭＥの論理グループの一部である、
請求項１に記載のＭＭＥ。
【請求項６】
前記ＵＥの管理を前記他のＭＭＥに転送する前記必要性は、
前記無線セルラネットワーク内の前記ＵＥの地理的位置の変化、又は、
前記ＭＭＥによって現在管理されているＵＥの数、又は、
ＭＭＥのグループ内の前記ＭＭＥの可用性の変化、又は、
前記ＭＭＥのグループ内のＭＭＥの数の変化、又は、
前記ＭＭＥに割り当てられた処理能力の変化、
に基づく、請求項１に記載のＭＭＥ。
【請求項７】
前記ＭＭＥと前記他のＭＭＥはそれぞれ、１つ以上の物理サーバデバイスにインストールされた仮想ＭＭＥを含む、
請求項１に記載のＭＭＥ。
【請求項８】
前記ＭＭＥから前記他のＭＭＥに前記接続を転送する前記指示は、前記ｅＮＢに前記一時識別子を前記ＵＥに通知させることと、前記他のＭＭＥの前記識別子に基づいて、前記ＵＥから前記他のＭＭＥへの通信を中継することである、
請求項１に記載のＭＭＥ。
【請求項９】
プロセッサ実行可能命令を記憶するように構成されるコンピュータ可読記憶媒体と、
前記プロセッサ実行可能命令を実行するように構成される処理回路と、
を備えるモビリティ管理エンティティ（ＭＭＥ）であって、
前記処理回路は、前記プロセッサ実行可能命令を実行して、
他のＭＭＥから、拡張ノードＢ（ｅＮＢ）を介してユーザ装置（ＵＥ）と無線セルラネットワークとの間の接続を管理する要求を受信し、
前記他のＭＭＥからの前記要求に応答して、前記ＵＥの一時識別子を生成し、
前記ＵＥに接続された前記ｅＮＢに、前記ＵＥの前記一時識別子と前記ＭＭＥの識別子とを伝達し、
前記ｅＮＢから、前記ＵＥの前記一時識別子と前記ＭＭＥの前記識別子との通信に応答して、前記ＵＥが前記一時識別子を承認したことを確認するメッセージを受信するように構成される、
ＭＭＥ。
【請求項１０】
前記ＵＥの前記一時識別子及び前記ＭＭＥの前記識別子は、前記ＵＥに前記ＵＥの前記一時識別子と前記ＭＭＥの前記識別子とを伝達するために用いられるカプセル化されたグローバリ・ユニーク・テンポラリ・アイデンティティ（ＧＵＴＩ）再割当て要求メッセージを含むＳ１−ＡＰ（S1  Application  Protocol）メッセージにおいて、前記ｅＮＢに伝達され、
前記ＵＥが前記一時識別子を承認したことを確認するメッセージは、ＧＵＴＩ再割当て完了メッセージを含む、
請求項９に記載のＭＭＥ。
【請求項１１】
前記ＭＭＥ及び前記他のＭＭＥは、前記無線セルラネットワーク内のＭＭＥの論理グループに属する、
請求項９に記載のＭＭＥ。
【請求項１２】
前記接続は、前記接続を転送する前記要求が受信される前に、前記他のＭＭＥによって管理される、
請求項９に記載のＭＭＥ。
【請求項１３】
前記他のＭＭＥから受信される、前記ＵＥを転送する前記要求は、
前記無線セルラネットワーク内の前記ＵＥの地理的位置の変化、又は、
前記他のＭＭＥによって現在管理されているＵＥの数又は、
前記ＭＭＥのグループ内の前記他のＭＭＥの可用性の変化又は、
ＭＭＥのグループ内のＭＭＥの数の変化、又は、
前記他のＭＭＥに割り当てられた処理能力の変化、
に基づく、請求項９に記載のＭＭＥ。
【請求項１４】
前記ＭＭＥと前記他のＭＭＥはそれぞれ、１つ以上の物理サーバデバイスにインストールされた仮想ＭＭＥを含む、
請求項９に記載のＭＭＥ。
【請求項１５】
モビリティ管理エンティティ（ＭＭＥ）によって実施される方法であって、
拡張ノードＢ（ｅＮＢ）を介して、ユーザ装置（ＵＥ）と無線セルラネットワークとの間で接続を確立するステップと、
前記ＵＥがアイドルモードにあることを検出するステップと、
前記ＵＥが前記アイドルモードにある間に、前記無線セルラネットワーク内の他のＭＭＥに前記接続を転送する必要性を検出するステップと、
前記ＵＥが前記アイドルモードにあることを検出することに応答して、且つ前記接続を転送する前記必要性を検出したことに応答して、前記ｅＮＢを介して前記ＵＥにページング要求メッセージを送信するステップであって、前記ページング要求メッセージは前記ＵＥの識別子を含む、ステップと、
を含み、
前記ページング要求メッセージは、前記ＵＥに、前記他のＭＭＥの前記識別子に基づくトラッキング・エリア・アップデート（ＴＡＵ）手順を開始することにより、前記他のＭＭＥに対する前記接続の前記転送を完了させるように構成される、
方法。
【請求項１６】
前記ＭＭＥ及び前記他のＭＭＥは、前記無線セルラネットワーク内のＭＭＥの論理グループに属する、
請求項１５に記載の方法。
【請求項１７】
前記接続は、前記接続を転送する前記必要性が検出される前に、前記ＭＭＥによって管理される、
請求項１５に記載の方法。
【請求項１８】
前記接続を前記他のＭＭＥに転送する前記必要性は、
前記無線セルラネットワーク内の前記ＵＥの地理的位置の変化、又は、
前記ＭＭＥによって現在管理されているＵＥデバイスの数、又は、
ＭＭＥのグループ内の前記ＭＭＥの可用性の変化、又は、
前記ＭＭＥのグループ内のＭＭＥの数の変化、又は、
前記ＭＭＥに割り当てられた処理能力の変化、
に基づく、請求項１５に記載の方法。
【請求項１９】
前記ＭＭＥデバイスと前記他のＭＭＥデバイスはそれぞれ、１つ以上の物理サーバデバイスにインストールされた仮想ＭＭＥデバイスを含む、
請求項１５に記載の方法。
【請求項２０】
処理回路を備えるサービング・ゲートウェイ（ＳＧＷ）であって、前記処理回路は、
ユーザ装置（ＵＥ）と前記ＳＧＷとの間の接続を他のＳＧＷにオフロードする必要性を検出し、
前記接続をオフロードする前記必要性に応答して、前記接続に関連付けられた前記ＵＥの識別子を収集し、
前記ＵＥと前記ＳＧＷとの間の前記接続に含まれるモビリティ管理エンティティ（ＭＭＥ）に、前記ＵＥの前記識別子を含む再配置要求を伝達するように構成され、
前記再配置要求は、前記ＭＭＥに、前記ＵＥの前記識別子に基づいて前記他のＳＧＷに前記接続をオフロードさせる負荷バランシング手順を開始させるように構成される、
ＳＧＷ。
【請求項２１】
前記ＳＧＷ及び前記他のＳＧＷは、ＳＧＷの論理グループに属する、
請求項２０に記載のＳＧＷ。
【請求項２２】
前記ＳＧＷと前記他のＳＧＷはそれぞれ、１つ以上の物理サーバデバイスにインストールされた仮想ＳＧＷを含む、
請求項２０に記載のＳＧＷ。
【請求項２３】
パケット・データ・ネットワーク・ゲートウェイ（ＰＧＷ）であって、
ユーザ装置（ＵＥ）と前記ＰＧＷとの間の１つ以上の接続を他のＰＧＷにオフロードする必要性を検出する手段と、
前記接続をオフロードする前記必要性に応答して、前記接続に関連付けられた前記ＵＥの識別子を収集する手段と、
前記１つ以上のＵＥの前記識別子を含む再配置要求を、前記ＵＥにサービス提供しているサービング・ゲートウェイ（ＳＧＷ）に伝達する手段と、
を備え、
前記再配置要求は、前記ＳＧＷに、移動体管理エンティティ（ＭＭＥ）デバイスを介して負荷バランシング手順を開始させ、前記ＵＥの前記識別子に基づいて、１つ以上のＵＥを前記他のＰＧＷにオフロードさせるように構成される、
ＰＧＷ。
【請求項２４】
前記ＰＧＷ及び前記他のＰＧＷは、無線ネットワーク内のＰＧＷの論理グループに属する、
請求項２３に記載のＰＧＷ。
【請求項２５】
前記ＰＧＷと前記他のＰＧＷはそれぞれ、１つ以上の物理サーバデバイスにインストールされた仮想ＰＧＷデバイスを含む、
請求項２３に記載のＰＧＷ。